(57)【要約】【課題】光学系の複雑化、大型化を招くことなく、かつ、静止画および動画の撮影モード切換に伴って画角の変化を生じることのない携帯型撮像装置を提供する。【解決手段】動画撮影用の画面において、シャッターボタン４のハーフシャッター操作時に伴い静止画撮影用の画角に切り換え、シャッターボタン４を離しても画角設定保持部１００Ａによって即座に動画撮影モードの画角に戻ることなく、予め定めた保持時間で画角が保持されるので、動画・静止画の撮影モードを都度切り換えるといった操作を要することなしに撮影者がズームバー１６等の操作によって画角を修正した後で、静止画の撮影を行うことができる。また、連続して静止画を撮影したい場合にも画角が保持されるので、手際の良い連続静止画撮影が行える。【選択図】図２
2007180835.tif 000002
【特許請求の範囲】
【請求項１】
録画撮影操作に基づいて第１の画角で録画動作を実行させる制御部と、
前記録画動作時に静止画撮影操作が行われたとき前記第１の画角を静止画撮影用の第２の画角に設定し、かつ前記第２の画角を保持する保持時間を設定する画角設定保持部とを有することを特徴とする携帯型撮像装置。
【請求項２】
録画撮影操作に基づいて第１の画角で録画動作を実行させる制御部と、
前記録画動作時に静止画撮影操作としてハーフシャッター操作が行われたとき前記第１の画角を静止画撮影用の第２の画角に設定し、かつ前記第２の画角を保持する保持時間を設定する画角設定保持部とを有することを特徴とする携帯型撮像装置。
【請求項３】
録画撮影操作に基づいて第１の画角で録画動作を実行させる制御部と、
前記録画動作時に静止画撮影操作としてハーフシャッター操作が行われたとき前記第１の画角を静止画撮影用の第２の画角に設定し、かつ前記第２の画角を保持する保持時間を設定するとともに、前記保持時間の経過後に前記第２の画角を前記第１の画角に再設定する画角設定保持部とを有することを特徴とする携帯型撮像装置。
【請求項４】
前記画角設定保持部は、前記第２の画角に変更後に前記録画撮影操作が行われたとき直ちに前記第１の画角に設定する請求項１から３のいずれか１項に記載の携帯型撮像装置。
【請求項５】
前記画角設定保持部は、前記第２の画角に変更後にいずれかのスイッチ操作が行われたとき前記保持時間を再設定する請求項１から３のいずれか１項に記載の携帯型撮像装置。
【請求項６】
前記画角設定保持部は、前記録画動作時に静止画撮影操作が行われたときの画角が前記第２の画角と同じであるとき前記画角の変更を行わない請求項１から３のいずれか１項に記載の携帯型撮像装置。
【発明の詳細な説明】
【技術分野】
【０００１】
本発明は、静止画および動画を撮像可能な携帯型撮像装置に関し、特に、光学系の複雑化、大型化を招くことなく、かつ、静止画および動画の撮影モード切換に伴って画角の変化を生じることのない携帯型撮像装置に関する。
【背景技術】
【０００２】
従来の携帯型撮像装置として、銀塩フィルム撮影と固体撮像素子による撮影とを同時又は任意に選択することのできるものがある（例えば、特許文献１参照。）。
【０００３】
この携帯型撮像装置は、カメラボディの内部に設けられる撮像光学系と、撮影光学系上に可動自在に設けられるメインミラーと、メインミラーで反射されて固体撮像素子に至る縮小光学系とを含み、シャッターボタンの操作に基づいて固体撮像素子による撮影（スチルビデオ撮影）を行った後に、メインミラーの可動に基づき撮影光学系を介して入射する入射光をフィルムに記録することができる。縮小光学系は、銀塩フィルムによる撮影における画角と同じ画角になるように入射光を固体撮像素子上に結像させる。
【０００４】
また、近年では、大容量のハードディスクドライブやメモリ等の記憶部を有し、かつ片手で静止画に加えて動画の撮影が可能な小型の携帯型撮像装置が提案されている。
【特許文献１】特開平７−１５４６６２号公報
【発明の開示】
【発明が解決しようとする課題】
【０００５】
しかし、特許文献１に記載された発明によると、メインミラーを設けているため、反射光学系の構成が必須となって光学系の構成が複雑化、大型化するという問題がある。
【０００６】
従って、本発明の目的は、光学系の複雑化、大型化を招くことなく、かつ、静止画および動画の撮影モード切換に伴って画角の変化を生じることのない携帯型撮像装置を提供することにある。
【課題を解決するための手段】
【０００７】
本発明は、上記の目的を達成するため、録画撮影操作に基づいて第１の画角で録画動作を実行させる制御部と、前記録画動作時に静止画撮影操作が行われたとき前記第１の画角を静止画撮影用の第２の画角に設定し、かつ前記第２の画角を保持する保持時間を設定する画角設定保持部とを有する携帯型撮像装置を提供する。
【０００８】
また、本発明は、上記の目的を達成するため、録画撮影操作に基づいて第１の画角で録画動作を実行させる制御部と、前記録画動作時に静止画撮影操作としてハーフシャッター操作が行われたとき前記第１の画角を静止画撮影用の第２の画角に設定し、かつ前記第２の画角を保持する保持時間を設定する画角設定保持部とを有する携帯型撮像装置を提供する。
【０００９】
また、本発明は、上記の目的を達成するため、録画撮影操作に基づいて第１の画角で録画動作を実行させる制御部と、前記録画動作時に静止画撮影操作としてハーフシャッター操作が行われたとき前記第１の画角を静止画撮影用の第２の画角に設定し、かつ前記第２の画角を保持する保持時間を設定するとともに、前記保持時間の経過後に前記第２の画角を前記第１の画角に再設定する画角設定保持部とを有する携帯型撮像装置を提供する。
【発明の効果】
【００１０】
本発明によれば、光学系の複雑化、大型化を招くことなく、かつ、静止画および動画の撮影モード切換に伴って画角の変化が生じることを防ぐことができる。
【発明を実施するための最良の形態】
【００１１】
（本発明の実施の形態）
図１は、本発明の実施の形態に係る携帯型撮像装置を示し、（ａ）は携帯型撮像装置をバッテリーカバー側から見た斜視図。（ｂ）は携帯型撮像装置を液晶表示部側から見た斜視図である。
【００１２】
（携帯型撮像装置１の構成）
この携帯型撮像装置１は、レンズ２と、フラッシュ３と、静止画撮影用のシャッターボタン４と、図示しないリモコン装置の発光部から放射される光を受光する受光部５と、図示しないハンドストラップを取り付けるためのストラップ取付け部６と、本体に対して可動自在に取り付けられるバッテリーカバー７と、三脚用ネジ穴８と、図示しない接続アダプタを接続される接続端子９と、携帯型撮像装置１についての設定項目を選択するためのジョグダイヤル１０と、各種設定の決定操作を行うための決定スイッチ１１と、種々のメニューを後述する液晶表示部１７に表示させるためのメニュースイッチ１２と、再生モードおよび記録（静止画、動画）モードを切り換えるモードスイッチ１３と、本体に着脱自在に格納されたメモリカードを保護するメモリカードカバー１４と、動画撮影用の録画スイッチ１５と、静止画および動画の撮像時にズーム操作を行うためのズームバー１６と、液晶表示部１７と、液晶表示部１７の下側に設けられるスピーカ１８と、電源スイッチ１９と、携帯型撮像装置１の動作状態を示すステイタスＬＥＤ２０と、メモリカードへのアクセス状態に応じて点灯するメディアＬＥＤ２１とを有している。
【００１３】
シャッターボタン４は、モードスイッチ１３が撮影モードに設定されているとき操作されることによって静止画の撮影を行う。シャッターボタン４を半押し（ハーフシャッター操作）することでピント合わせと露出合わせが行われ、液晶表示部１７にはＩＳＯ感度、シャッター速度、絞り値が表示される。また、動画撮影時にシャッターボタン４を操作することにより静止画撮影を行うことも可能である。
【００１４】
バッテリーカバー７は、バッテリーカバーロック７Ａによって本体に内蔵された電源としてのリチウムイオンバッテリーが脱落することを防止している。
【００１５】
接続端子９は、ＵＳＢ（Universal Serial Bus）端子と、電源端子と、ＡＶ端子を備えた図示しない接続アダプタを接続されることにより、接続アダプタを介してＡＶ出力、ＵＳＢ接続を可能にする。
【００１６】
メモリカードカバー１４は、メモリカードカバーロック１４Ａを解除することによって開閉可能な構成を有する。本実施の形態では、メモリカードとしてＳＤメモリカードが用いられる。
【００１７】
録画スイッチ１５は、モードスイッチ１３が撮影モードに設定されているとき操作されることによって動画の撮影を行う。
【００１８】
液晶表示部１７は、スピーカ１８とともに同一のパネルに収められており、このパネルは本体に対して開閉可能かつ回転自在に枢軸されている。また収納状態では、液晶表示部１７およびスピーカ１８の形成面が本体側に、背面側が本体の外形と同一面を形成するようになっている。
【００１９】
電源スイッチ１９は、液晶表示部１７を開いている状態で携帯型撮像装置１をＯＮまたはＯＦＦするときに用いられる。なお、この携帯型撮像装置１では、液晶表示部１７を開くことにより電源がＯＮとなり、液晶表示部１７を閉じることにより電源がＯＦＦとなるようになっている。
【００２０】
この携帯型撮像装置１は、本体上部、つまりレンズ２の背後に図示しない結像光学系および固体撮像素子を搭載しており、固体撮像素子は静止画および動画の撮影に対応する。
【００２１】
図２は、本発明の実施の形態に係る携帯型撮像装置のブロック図である。なお、同図においては、携帯型撮像装置１の主要な部分について示している。
【００２２】
このブロック図は、携帯型撮像装置１の固体撮像素子で撮像された動画に基づくＣＣＤ（Charge-Coupled Devices）出力信号の処理系を主として示しており、各部の動作を制御する制御部１００と、メモリ回路１０１と、信号処理回路１０２と、圧縮伸長処理回路１０３と、ハードディスクドライブ１０４と、メモリカード１０５と、表示駆動部１０６と、ビデオデコーダ１０７と、ＬＡＮ（Local Area Network）端子１０８に接続されるＬＡＮコントローラ１０９と、ＵＳＢ端子１１０に接続されるＵＳＢコントローラ１１１とを含む。なお、シャッターボタン４、録画スイッチ１５、およびズームバー１６は、システム全体を制御する制御部１００に押下の情報を与える。制御部１００は、その押下情報から該当する処理を実行する。
【００２３】
メモリ回路１０１は、制御部１００と各部との間に設けられるとともに制御部１００から出力されるデータ量の大なる信号を一時的に保持する。
【００２４】
信号処理回路１０２は、画像信号であるＣＣＤ出力信号に対して所定の信号処理を行う。
【００２５】
圧縮伸長処理回路１０３は、静止画、動画に応じてＣＣＤ出力信号に対する圧縮伸長処理を行う。本実施の形態の形態では、静止画についてはＪＰＥＧ（Joint Photographic Expert Group）規格に基づく圧縮伸長処理を行い、動画についてはＭＰＥＧ（Motion Picture Experts Group）規格に基づく圧縮伸長処理を行う。
【００２６】
ハードディスクドライブ１０４は、ＦＡＴ３２のファイルシステムに基づいて記録される静止画、動画およびその他のデータを管理する記憶部である。
【００２７】
ビデオデコーダ１０７は、図示しない撮像素子で撮像された画像に基づくＣＣＤ出力信号をデコードして液晶表示部１７の表示用に信号処理し、表示駆動部１０６に出力する。
【００２８】
ＬＡＮコントローラ１０９は、携帯型撮像装置１と外部の機器との間でＬＡＮ端子１０８を介して制御信号や静止画あるいは動画のデータを送受信する。
【００２９】
ＵＳＢコントローラ１１１は、パーソナル・コンピュータ（ＰＣ）や他の電子機器と静止画あるいは動画のデータをＵＳＢ端子１１０を介して送受信する。
【００３０】
また、制御部１００は、動画撮影用の画面において、シャッターボタン４のハーフシャッター操作時に伴い静止画撮影用の画角に切り換え、シャッターボタン４を離したときに即座に動画撮影モードの画角に戻ることなく、予め定めた保持時間にわたって画角を保持させる画角設定保持部１００Ａを有する。
【００３１】
ＣＣＤ出力信号は、図示しないＡ／Ｄ変換部でデジタル信号に変換されてカメラ信号処理回路１０２に入力し、所定の信号処理を施された後に圧縮伸長処理回路１０３で圧縮処理を施され、メモリ回路１０１を介してハードディスクドライブ１０４又はメモリカード１０５に記録される。このとき、撮影される画像は、ビデオデコーダ１０７を介し、表示駆動部１０６を経て液晶表示部１７に表示される。
【００３２】
また、再生時は、ハードディスクドライブ１０４又はメモリカード１０５から読み出された画像がメモリ回路１０１を介して圧縮伸長処理回路１０３に入力し、伸長処理を施された後にメモリ回路１０１を介してビデオデコーダ１０７に出力され、表示駆動部１０６を経て液晶表示部１７に表示される。
【００３３】
ハードディスクドライブ１０４又はメモリカード１０５に記録された静止画または動画を外部機器に転送、あるいは外部機器から受信するときは、ＵＳＢコントローラ１１１を介してＵＳＢ端子１１０から送受信する。これは外部機器がＰＣであることを想定している。
【００３４】
また、ＤＶＤ（Digital Versatile Disk）レコーダのような画像記録再生装置に対してＭＰＥＧ圧縮された動画を直接的に送受信することもできる。一般に、ＤＶＤレコーダにこれらの画像データを転送するときは、ＭＰＥＧ圧縮された動画像を撮像装置側でデコードし、ビデオ端子やＳ端子からアナログ出力し、画像記録再生装置側でアナログ信号を再圧縮して保存する。この方法では、例えば１時間記録した動画をＤＶＤに記録するのに１時間かかる。しかし、ここではＭＰＥＧ圧縮した動画データは、このままストリーミングとしてネットワーク経由でＤＶＤに転送することができ、その転送時間は、圧縮率にも依存するが、実時間の数１０倍を達成でき、画質は、再エンコードしないため高画質のままである。例えば１時間記録した動画像をＤＶＤレコーダに記録するのに１／１０だと６分で済む。ネットワークとしてＬＡＮを考えた場合、ＬＡＮコントローラ１０９を介してＬＡＮ端子１０８から送受信する。なお、ＤＶＤレコーダへの転送は、動画に限定せずに静止画でも音声を含んだ場合でも構わない。
【００３５】
図３は、動画、静止画の撮影時における画角の変化を示す動作説明図である。
【００３６】
例えば、静止画の撮影時において図１に示すズームバー１６をＷ（ワイド）からＴ（テレ）側に操作した場合、図示する画角Ａから画角Ｂに変化する。このため、例えば、風景撮影等で広範囲を撮影するときには画角Ａとなるようにズームバー１６を操作する。また、被写体の一部をズーミングしてクローズアップしたいときは画角Ｂとなるようにズームバー１６を操作する。
【００３７】
以下に、本発明の実施の形態に係る携帯型撮像装置１の動作について、図４に示すフローチャートを参照しながら説明する。以下の説明は、動画撮影モードにおいてシャッターボタン４のハーフシャッター操作が行われたときのフローである。
【００３８】
制御部１００は、静止画サイズ等から静止画撮影用の画角と動画撮影用の画角を比較する（Ｓ１）。ここで画角が異なる場合は（Ｓ１：Ｙｅｓ）、画角設定保持部１００Ａによって静止画撮影用に画角が変更され（Ｓ２）、更に画角の保持時間が設定される（Ｓ３）。次に、スイッチの入力チェックを行う（Ｓ４）。スイッチ入力が無い場合（Ｓ４：Ｎｏ）、画角の保持時間が経過したか否かをチェックする（Ｓ５）。画角の保持時間が経過した場合は（Ｓ５：Ｙｅｓ）、画角設定保持部１００Ａは動画撮影用に画角を変更して終了する（Ｓ６）。
【００３９】
また、Ｓ５で画角保持時間が経過していない場合（Ｓ５：Ｎｏ）、画角設定保持部１００Ａは画角保持時間を短縮する（Ｓ７）とともにスイッチの入力チェックを行う。Ｓ４でシャッターボタン４の入力があり（Ｓ４：Ｙｅｓ１）、フルシャッター操作が行われた場合（Ｓ８）、制御部１００は静止画撮影処理を行い（Ｓ９）、画角設定保持部１００Ａによってその画角が保持されるとともにＳ３で画角の保持時間が再設定される。
【００４０】
また、Ｓ４でシャッターボタン４以外の入力があり（Ｓ４：Ｙｅｓ２）、録画スイッチ１５が押された場合（Ｓ１０：Ｙｅｓ）、画角設定保持部１００Ａは動画撮影用に画角を変更する（Ｓ１１）。次に、制御部１００は動画の撮影処理を行い終了する（Ｓ１２）。また、ズームバー１６等の他のキーが押された場合は（Ｓ１０：Ｎｏ）、Ｓ３に戻り画角の保持時間が再設定される。
【００４１】
また、Ｓ１で画角が等しい場合は（Ｓ１：Ｎｏ）、画角の変更を行うことなく、スイッチの入力チェックを行う（Ｓ１３）。その時にフルシャッターが押された場合は（Ｓ１４）、静止画の撮影処理が行われる（Ｓ１５）。
【００４２】
（本実施の形態の効果）
上記した本発明の実施の形態によると、動画撮影用の画面において、シャッターボタン４のハーフシャッター操作時に伴い静止画撮影用の画角に切り換え、シャッターボタン４を離しても画角設定保持部１００Ａによって即座に動画撮影モードの画角に戻ることなく、予め定めた保持時間で画角が保持されるので、動画・静止画の撮影モードを都度切り換えるといった操作を要することなしに撮影者がズームバー１６等の操作によって画角を修正した後で、静止画の撮影を行うことができる。また、連続して静止画を撮影したい場合にも画角が保持されるので、手際の良い連続静止画撮影が行える。
【００４３】
なお、本発明は、上記した実施の形態に限定されず、本発明の技術思想を逸脱あるいは変更しない範囲内で種々な組み合わせ、変形が可能である。
【図面の簡単な説明】
【００４４】
【図１】本発明の実施の形態に係る携帯型撮像装置を示し、（ａ）は携帯型撮像装置をバッテリーカバー側から見た斜視図。（ｂ）は携帯型撮像装置を液晶表示部側から見た斜視図である。
【図２】本発明の実施の形態に係る携帯型撮像装置のブロック図である。
【図３】動画、静止画の撮影時における画角の変化を示す動作説明図である。
【図４】本発明の実施の形態に係る携帯型撮像装置の動作を示すフローチャートである。
【符号の説明】
【００４５】
１…携帯型撮像装置、２…レンズ、３…フラッシュ、４…シャッターボタン、５…受光部、６…ストラップ取付け部、７…バッテリーカバー、７Ａ…バッテリーカバーロック、８…三脚用ネジ穴、９…接続端子、１０…ジョグダイヤル、１１…決定スイッチ、１２…メニュースイッチ、１３…モードスイッチ、１４…メモリカードカバー、１４Ａ…メモリカードカバーロック、１５…録画スイッチ、１６…ズームバー、１７…液晶表示部、１８…スピーカ、１９…電源スイッチ、１００…制御部、１００Ａ…画角設定保持部、１０１…メモリ回路、１０２…信号処理回路、１０３…圧縮伸長処理回路、１０４…ハードディスクドライブ、１０５…メモリカード、１０６…表示駆動部、１０７…ビデオデコーダ、１０８…ＬＡＮ端子、１０９…ＬＡＮコントローラ、１１０…ＵＳＢ端子、１１１…ＵＳＢコントローラ
【図１】
2007180835.tif 000003
【図２】
2007180835.tif 000004
【図３】
2007180835.tif 000005
【図４】
2007180835.tif 000006